(57)【要約】      （修正有）【課題】波長分布の違いによる制御誤差は低減するとともに反射光に含まれるゴースト等の影響を低減した光量調整を行うことが可能な眼科撮影装置を提供する。【解決手段】眼底を照明する撮影光源３を有する眼科撮影装置に対して、撮影時に撮影光源３の発光開始からの発光量をモニターする光量検知手段２８と、撮影光源３から発せられて眼底を照明する光の波長帯域を選択する撮影光波長選択手段５９と、撮影光波長選択手段５９の選択した波長帯域に応じて撮影光源３から光量検知手段２８に導かれる光の波長帯域を選択する検知波長変更手段２９と、を配する。【選択図】図１
2014050462.tif 000002
【特許請求の範囲】
【請求項１】
眼底を照明する撮影光源と、
撮影時に前記撮影光源の発光開始からの発光量をモニターする光量検知手段と、
前記撮影光源から発せられて前記眼底を照明する光の波長帯域を選択する撮影光波長選択手段と、
前記撮影光波長選択手段の選択した前記波長帯域に応じて前記撮影光源から前記光量検知手段に導かれる光の波長帯域を選択する検知波長変更手段と、を備えることを特徴とした眼科撮影装置。
【請求項２】
前記光量検知手段は検知波長の異なる複数の光量検知部を有し、前記検知波長変更手段は選択された前記波長帯域に応じて用いる前記光量検知部を切り替えることを特徴とする請求項１に記載の眼科撮影装置。
【請求項３】
前記検知波長変更手段は前記撮影光源と前記光量検知手段の間に設けられた検知手段用バンドパスフィルターを有し、選択された前記波長帯域に応じて前記検知手段用バンドパスフィルターの前記撮影光源と前記光量検知手段との間の光路への挿脱を行うことを特徴とする請求項１に記載の眼科撮影装置。
【請求項４】
前記検知波長変更手段は、前記撮影光波長選択手段と前記眼底との間において前記眼底を照明する前記光の一部を抽出する手段を有し、前記光量検知手段は抽出された前記光を用いて前記発光量を検知することを特徴とする請求項１に記載の眼科撮影装置。
【請求項５】
前記光量検知手段は、前記眼底を介さずに前記撮影光源から発せられた光をモニターすることを特徴とする請求項１に記載の眼科撮影装置。
【請求項６】
前記複数の光量検知部において前記検知波長変更手段により選択されなかった光量検知部に対して、前記撮影光源から発せられた光をモニターする際に所定の信号を出力させる制御手段を更に有することを特徴とする請求項２に記載の眼科撮影装置。
【請求項７】
前記光量検知手段は、前記撮影光量選択手段により選択された前記眼底を照明する光の波長帯域に応じた発光量に応じた基準信号に基づいて、前記撮影光源の前記発光量をモニターすることを特徴とする請求項２又は６に記載の眼科撮影装置。
【請求項８】
撮影光源から発せられて眼底を照明する光の中から所定の波長帯域の光を選択し、
前記所定の波長帯域の光の撮影時の発光量を決定し、
前記所定の波長帯域の光であって前記眼底を介さない光をモニターし、
前記光のモニターに応じて前記撮影光源の発光を停止する、ことを特徴とする眼科撮影方法。
【発明の詳細な説明】
【技術分野】
【０００１】
本発明は、被検眼の撮影時に撮影光量の制御を行う眼科撮影装置に関する。
【背景技術】
【０００２】
従来の眼底カメラなどの眼科装置では被検眼の眼底を撮影するための光源にキセノン管等の光源を使用している。光源は一般的に経時変化による劣化で発光量が変化する。このため、撮影光量が一定の光量になるように、被検眼からの戻り光の一部をフォトダイオード等の受光素子でモニターしている。この受光素子からの出力をオペアンプとコンデンサにより構成される積分回路により積分し、該積分回路からの出力と基準電圧を比較する。該出力が基準電圧以上になった場合に発光を停止させることで撮影光量が一定値になるように制御し、常に同等の明度となる眼底像を得ている（特許文献１参照）。
また従来の眼底カメラは複数の撮影モードを有しており、撮影者はその撮影目的に応じ、撮影モードを変更する事ができる。例えば白色光で眼底を照明し、撮影するカラー撮影モードや、５００ｎｍ付近の狭帯域波長光で眼底を照明、撮影する事で、眼底の神経線維層をより明瞭に観察可能な、フィルター撮影モードなどが知られている。このような複数の撮影モードは撮影光源と被検眼間の光軸上に、挿脱可能なフィルターを配置する構成をとり、その挿脱により、撮影光源の波長帯域の一部波長を選択的に抽出することで実現される。
【先行技術文献】
【特許文献】
【０００３】
【特許文献１】特開昭６０−１９０９３０号公報
【発明の概要】
【発明が解決しようとする課題】
【０００４】
複数の撮影モードを撮影光源と眼底間にフィルター等を介することで実現する眼底カメラにおいては、撮影光源の発光と、実際に眼底を照明する光の波長分布は異なる事になる。一般的に撮影光源の発光波長分布には個体差があるため、撮影光源の発光を直接受光し、その出力を元に撮影光制御を行う方式では、撮影光源の発光、つまりモニターしている光と、実際に眼底を照明する光の波長分布の違いにより制御誤差が生じてしまう。
【０００５】
前述したように、特許文献１に例示される構成を有する眼科装置では、被検眼からの反射光をモニターし、撮影光の制御を行っているため、波長分布の違いによる制御誤差を低減することが可能である。
しかしながら、一般的に被検眼からの反射光にはアライメント不良に伴うフレア等、さまざまなゴーストが含まれている。従って反射光を元に撮影光制御を行った場合、得られる画像の平均輝度は所望のものが得られたとしても、反射光に含まれるゴーストの影響により、診断に必要な眼底部位の露出が適正でない等の不具合が生じる可能性がある。
【０００６】
本発明は、以上の状況に鑑みて為されたものであり、波長分布の違いによる制御誤差は低減するとともに反射光に含まれるゴースト等の影響を低減した光量調整を行うことが可能な眼科撮影装置の提供を目的とするものである。
【課題を解決するための手段】
【０００７】
上記課題を解決するために、本発明に係る眼科撮影装置は、眼底を照明する撮影光源と、
撮影時に前記撮影光源の発光開始からの発光量をモニターする光量検知手段と、
前記撮影光源から発せられて前記眼底を照明する光の波長帯域を選択する撮影光波長選択手段と、
前記撮影光波長選択手段の選択した前記波長帯域に応じて前記撮影光源から前記光量検知手段に導かれる光の波長帯域を選択する検知波長変更手段と、を備えることを特徴とする。
【発明の効果】
【０００８】
本発明によれば、波長分布の違いによる制御誤差は低減するとともに反射光に含まれるゴースト等の影響を低減した光量調整を行うことが可能となる。
【図面の簡単な説明】
【０００９】
【図１】実施例１における眼底カメラの構成図である。
【図２】実施例１における撮影光波長、及びフォトダイオードの分光感度特性である。
【図３】実施例１におけるキセノン管駆動回路と光量検知部の電気回路図である。
【図４】実施例１の撮影フローチャートである。
【図５】実施例１における発光開始から停止までのタイミングチャートであり、（ａ）はカラー撮影時、（ｂ）はフィルター撮影時を各々示す図である。
【図６】実施例２における眼底カメラの構成図である。
【図７】実施例２におけるキセノン管駆動回路と光量検知部の電気回路図である。
【図８】実施例２の撮影フローチャートである。
【図９】実施例３における眼底カメラの構成図である。
【図１０】実施例３の撮影フローチャートである。
【発明を実施するための形態】
【００１０】
［実施例１］
本発明を図１〜図５に図示の実施例に基づいて詳細に説明する。
【００１１】
図１は実施例における眼底カメラの構成図を示している。対物レンズ１０から可視光を発光する撮影用光源キセノン管３に至る光路上には、孔あきミラー９、リレーレンズ８、ミラー７、リレーレンズ６が配置され、赤外光を透過し可視光を反射するダイクロイックミラー５に至る。ダイクロイックミラー５の透過方向にはリング状の開口を有する絞り２、その先には赤外観察用光源の赤外ＬＥＤ１が配置されている。ダイクロイックミラー５の反射方向には、リング状の開口を有する絞り４が、その先にはキセノン管３が配置され眼底照明光学系Ｏ１を構成する。絞り４とダイクロイックミラー５の間にはフィルター撮影用のバンドパスフィルター５９が配置されており不図示の駆動系により光軸外に退避可能でカラー撮影時は光軸外に退避させる。
【００１２】
ミラー７の反射方向には、絞り１１、レンズ１２、合焦用指標１３、合焦用指標光源である赤外ＬＥＤ１４配置されており、合焦用指標投影光学系Ｏ３を構成する。
また合焦用指標投影光学系Ｏ３は、合焦レンズ１５と連動して図中Ａの方向へ動く。静止画撮影時には、不図示の駆動系により図中Ｂの方向へ動き照明光学系Ｏ１上から退避される。
【００１３】
孔あきミラー９の透過方向の光路上には、合焦レンズ１５、撮影レンズ１６、ＣＭＯＳセンサー１７が配列され、眼底撮影光学系Ｏ２を構成しておりＣＭＯＳセンサー１７の出力は画像信号処理部１９、表示器２０へ順次接続されている。孔あきミラー９には光ファイバ２１を通じて位置合わせ指標用光源である赤外ＬＥＤ２２が接続されている。
【００１４】
キセノン管３の後方にはフォトダイオード（Ｒｅｄ）３８、フォトダイオード（Ｇｒｅｅｎ）３９、フォトダイオード（Ｂｌｕｅ）４０を含む光量検知部２８が配置され、各フォトダイオードは絞り２７を通じてキセノン管３からの発光光束の一部が受光可能である。該光量検知部２８における各々のフォトダイオードは、本発明において、撮影時に撮影光源の発光開始からの発光量をモニターする光量検知手段として機能する。
【００１５】
赤外ＬＥＤ１はＬＥＤ駆動回路２３へ、撮影用キセノン管３はキセノン管駆動回路２４へ、赤外発光ＬＥＤ１４はＬＥＤ駆動回路２５へ、赤外ＬＥＤ２２はＬＥＤ駆動回路２６へとそれぞれ接続されている。ＬＥＤ駆動回路２３、キセノン管駆動回路２４、ＬＥＤ駆動回路２５、ＬＥＤ駆動回路２６、光量検知部２８、ＣＭＯＳセンサー１７、画像信号処理部１９、操作部３０、記録部３１はＣＰＵ２９へ接続されている。
【００１６】
また、ＣＭＯＳセンサー１７の各画素上にはＲ（赤）、Ｇ（緑）、Ｂ（青）の３色のモザイク状に配置されたフィルター１８が配置されておりＲのフィルターは赤から赤外光を透過可能である。
【００１７】
赤外観察時、画像信号処理部１９はＲの画素の出力を用いてモノクロの動画データを生成し表示部２０に動画を出力する。またカラー及びフィルター静止画撮影時、画像信号処理部１９はＲ、Ｇ、Ｂの各画素の出力を用いてカラー静止画を生成しＣＰＵ２９を介して記録部３１に記録する。
【００１８】
図２は本実施例において、撮影時に被検眼を照明する撮影光の波長帯域、及び各フォトダイオードの分光感度特性を示した図である。カラー撮影時には眼底をキセノン管３照射波長帯域である約４３０〜６３０ｎｍの広帯域光で照明する。またカラー撮影時、フィルター撮影時のどちらの場合においてもフォトダイオード（Ｒｅｄ）３８、フォトダイオード（Ｇｒｅｅｎ）３９、フォトダイオード（Ｂｌｕｅ）４０はこの広帯域光を受光する。フィルター撮影時にはバンドパスフィルター５９の通過帯域である約４７５〜５２５ｎｍ狭帯域光で眼底を照明する。フォトダイオード（Ｒｅｄ）３８は約５８０〜６８０ｎｍ、フォトダイオード（Ｇｒｅｅｎ）３９は約４７５〜６１５ｎｍ、フォトダイオード（Ｂｌｕｅ）４０は約４２０〜５６０ｎｍの波長帯域に感度を有する。
【００１９】
撮影時、光量検知部２８はフォトダイオードの出力をＣＰＵ２９に渡す、カラー撮影時、ＣＰＵ２９はすべてのフォトダイオードの出力を元にキセノン管駆動回路２４を制御する。フィルター撮影時、ＣＰＵ２９はフォトダイオード（Ｂｌｕｅ）４０より得られる光量検知結果のみを元に、キセノン管駆動回路２４を制御する。
【００２０】
図３は実施例におけるキセノン管駆動回路２４と光量検知部２８の電気回路の構成図である。キセノン管駆動回路２４はＩＧＢＴ３２、メインコンデンサ３５、電源３６、抵抗３７、トリガー用コンデンサ３４、トリガートランス３３、チョークコイル６３から構成され、メインコンデンサ３５は電源３６により高電圧（例えば３００Ｖ）に充電されている。トリガー用コンデンサ３４も抵抗３７を通じて充電されている。この回路構成でＣＰＵ２９がＸｅ＿ＯＮ信号をＨｉとするとＩＧＢＴ３２がＯＮし、まずトリガー用コンデンサ３４の電荷が放電されトリガートランス３３の左側の巻線に電流が流れることで右側の巻線に高電圧が発生しキセノン管３にトリガーがかかる。これにより、メインコンデンサ３５からチョークコイル６３を介しキセノン管３に電流が流れ、キセノン管３の発光が開始される。発光開始後ＣＰＵ２９がＸｅ＿ＯＮ信号をＬｏｗとするとＩＧＢＴ３２がＯＦＦしキセノン管３の電流が遮断され発光が停止する。
【００２１】
光量検知部２８は、同構成の三回路から成る。まずはそのうちの一回路の構成を例にとり説明する。まずフォトダイオード（Ｒｅｄ）３８、積分コンデンサ４６、リセット抵抗４９、アナログスイッチ５２、オペアンプ４３からなる積分回路が構成されている。ＣＰＵ２９がアナログスイッチ５２をオンにするとリセット抵抗４９を通じて積分コンデンサ４６の電荷をリセットすることができる。Ｄ／Ａコンバータ５５はキセノン管３の発光停止の基準電圧を出力する。この出力はオペアンプ４３の出力とともにコンパレータ５８の入力に接続されており、積分回路の出力電圧とＤ／Ａコンバータ５５の出力電圧の比較が可能である。コンパレータ５８の出力はＣＰＵ２９に接続させており積分回路の出力電圧がＤ／Ａコンバータ５５の出力電圧より低い場合はコンパレータ５３からはＨｉが出力され逆の場合はＬｏが出力される。
【００２２】
同じくフォトダイオード（Ｇｒｅｅｎ）３９、積分コンデンサ４５、リセット抵抗４８、アナログスイッチ５１、オペアンプ４２、Ｄ／Ａコンバータ５４、コンパレータ５７の組み合わせで同様の回路を構成している。また、フォトダイオード（Ｂｌｕｅ）４０、積分コンデンサ４４、リセット抵抗４７、アナログスイッチ５０、オペアンプ４１、Ｄ／Ａコンバータ５３、コンパレータ５６の組み合わせでも同じく回路を構成している。
【００２３】
ここで撮影開始か終了までのシーケンスを図４のフローチャートを基に説明する。
ステップＳ１で眼底カメラは操作者による操作を受け付ける。操作者は操作部３０のモードＳＷ（不図示）を操作しカラー撮影かフィルター撮影を選択する。カラー撮影が選択された場合はフィルター撮影用のバンドパスフィルター５８を光軸から退避させる。また操作部３０の光量調整ＳＷ（不図示）を操作し撮影時の光量補正値を設定する。また操作者は表示部２０上に表示された赤外観察用光源の赤外ＬＥＤ１により照明された被検眼Ｅの眼底像と、位置合わせ指標用光源の赤外ＬＥＤ２２により被検眼Ｅの角膜に投影された位置合わせ指標像により眼底カメラと被検眼Ｅのアライメントを行う。また操作者は合焦用指標光源の赤外ＬＥＤ１４の指標像によりピント合わせを行う。以上で述べたバンドパスフィルター５８は、本発明において、撮影光源から発せられて眼底を照明する光の中から所定の波長帯域を選択する撮影光波長選択手段として機能する。なお、本実施形態でバンドパスフィルター５８により特定波長帯域を抽出する様式としているが、眼底照明光の波長を変更可能であれば、光源自体を複数有してこれらを準じ用いる等、種々の波長帯域変更の様式を用いることが可能である。
【００２４】
アライメントとピント合わせが完了すると操作者は操作部３０の撮影ＳＷ（不図示）を押し撮影を開始させる（ステップＳ２）。また、ステップＳ３に移行する時点で、光量検知部２８のアナログスイッチ５０、５１、５２はＯＮ状態であり、積分コンデンサ４４、４５、４６はリセットされた状態である。
【００２５】
ステップＳ３では赤外観察モードから静止画撮影モードに移行するためにＣＰＵ２９は赤外ＬＥＤ１、赤外ＬＥＤ２２、赤外ＬＥＤ１４を消灯させ合焦用指標投影光学系Ｏ３を照明光学系Ｏ１の光軸上から退避させる。
またステップＳ４では設定された撮影モードと光量補正値から発光光量を計算する。
【００２６】
ステップＳ５では設定された発光光量から、あらかじめ定められた光量テーブルより基準Ｄ／Ａ値が決定され、ＣＰＵ２９はＤ／Ａコンバータ５３、５４、５５に基準Ｄ／Ａ値を渡す。換言すれば、フォトダイオードは、撮影光量選択手段により選択された眼底を照明する光の波長帯域に応じた発光量に応じた基準信号に基づいて、撮影光源の発光量をモニターする。ただし、フィルター撮影ではフォトダイオード（Ｒｅｄ）３８、フォトダイオード（Ｇｒｅｅｎ）３９の出力を元とした制御は行わないため基準Ｄ／Ａ値は最大のものを定める。これによりコンパレータ５８、５７の出力は常にＨｉ状態となる。即ちＣＰＵ２９は、制御手段として、複数のフォトダイオードにおいて検知波長変更手段により選択されなかったものに関しては、キセノン管３から発せられた光をモニターする際にＨｉ状態に応じた所定の信号を出力させる。
【００２７】
Ｄ／Ａコンバータ５５は基準Ｄ／Ａ値を元にフォトダイオード（Ｒｅｄ）３８を含む積分回路の出力との比較対象である基準電圧Ｖｒｒをコンパレータ５８に出力する。同じくＤ／Ａコンバータ５４は、フォトダイオード（Ｇｒｅｅｎ）３９を含む積分回路の出力との比較対象である基準電圧Ｖｒｇをコンパレータ５７に出力する。同じくＤ／Ａコンバータ５３は、フォトダイオード（Ｂｌｕｅ）４０を含む積分回路の出力との比較対象である基準電圧Ｖｒｂをコンパレータ５６に出力する。即ち、ＣＰＵ２９は、眼底照明に供せられる選択された光の波長帯域に応じて撮影光源から光量検知手段に導かれる光の波長帯域を選択する検知波長変更手段として機能する。より詳細には、該ＣＰＵ２９は、検知波長の異なる複数のフォトダイオードより、選択された波長帯域に応じてこれらフォトダイオードにおいて使用するものを切り替えている。
【００２８】
ステップＳ６ではＣＰＵ２９はアナログスイッチ５０、５１、５２をＯＦＦにし積分回路のリセットを解除する。その後、ＣＰＵ２９はＸｅ＿ＯＮ信号をＨｉにしＩＧＢＴ３２がＯＮすることでキセノン管３にトリガーがかかり発光が開始される。
【００２９】
ステップ７において、まずカラー撮影の場合、ＣＰＵ２９はコンパレータ５６、５７，５８すべての出力がＬｏになるまで待ち、ＬｏになったらステップＳ８に移行する。フィルター撮影の場合、フォトダイオード（Ｂｌｕｅ）４０を含む積分回路の出力をうけるコンパレータ５６の出力がＬｏになるまで待ち、Ｌｏになったらステップ７に移行する。
【００３０】
ステップＳ８でＣＰＵ２９はＸｅ＿ＯＮ信号をＬｏにしてＩＧＢＴ３２をＯＦＦにし、キセノン管３の発光を停止させる。
【００３１】
発光停止後のステップＳ９ではＣＭＯＳセンサー１７の出力から画像信号処理部１９が撮影モードに応じた静止画を生成し記録部３１に保存する。
【００３２】
ステップＳ１０で赤外観察モードに移行する。
ここでステップＳ６の発光からステップ９の発光停止までの動作を図６のタイミングチャートの例を用いて説明する。図６（ａ）はカラー撮影時、図６（ｂ）はフィルター撮影時である。
【００３３】
図６（ａ）及び（ｂ）共に、最上段のグラフはキセノン管３の発光量を示している。また中段にそれぞれフォトダイオード（Ｒｅｄ）３８、フォトダイオード（Ｇｒｅｅｎ）３９、フォトダイオード（Ｂｌｕｅ）４０について、各々を含む積分回路の出力電圧とそれを受けるコンパレータの出力を示す。最下段にＣＰＵ２９が出力するＸｅ_ＯＮ信号を示す。
【００３４】
図６（ａ）に示すカラー撮影時について、まずＲｅｄ、Ｇｒｅｅｎ、Ｂｌｕｅには各々基準電圧が設定されている。Ｘｅ＿ＯＮ信号がＨｉになると、キセノン管３は発光を開始する。発光後、積分回路出力が基準電圧を超えると、コンパレータがＬｏを出力する。すべてのコンパレータ出力がＬｏになった瞬間、ＣＰＵ２９はＸｅ＿ＯＮ信号をＬｏにしてＩＧＢＴ３２をＯＦＦにし、キセノン管３の発光を停止させる。
【００３５】
図６（ｂ）に示すフィルター撮影時について、まず発光制御に使用しないＲｅｄ、Ｇｒｅｅｎの基準電圧は最大に定められ、コンパレータは常にＨｉを出力している。カラー撮影と同様、キセノン管３が発光開始後、フォトダイオード（Ｂｌｕｅ）４０を含む積分回路の出力が基準電圧を超えると、コンパレータ５６がＬｏを出力する。その瞬間ＣＰＵ２９は発光停止の制御を行う。
【００３６】
以上述べたように、本実施形態において、光量検知手段であるフォトダイオードは、発した光が眼底を介することなく、キセノン管３から発せられた光を直接的にモニターし、該モニターの結果に応じてキセノン管３の発光を停止することとしている。なお、後述するように、眼底を介さない態様であれば、種々の変更が可能である。
【００３７】
本発明では、このようにして、撮影モードに応じてモニターする波長を、実際に眼底を照明する光と同等の波長帯域に切り替える事で、撮影光源の発光波長分布の個体差に起因した撮影光制御誤差を抑えることもできる。また、制御に反射光を使用していないため、反射光に含まれるノイズの影響も受けない。各々の撮影モードにおいて、眼底を照明する光を所望の光量に高い精度で制御することが可能である。
【００３８】
また、光源は使用頻度に応じて経時劣化等の経時変化が生じる。しかし、本発明の如く、常時光源の発する光に基づいて用いる光の制御誤差を抑制することが可能となり、経時変化の影響も抑制することが可能となる。
【００３９】
［実施例２］
本発明を図６〜図８に図示の実施例に基づいて説明する。
詳細な説明は実施例１との差分に留める。
【００４０】
図６は実施例２における眼底カメラの構成図を示している。実施例１の構成との差分としてキセノン管３と絞り２７の間に、フィルター撮影用のバンドパスフィルター５９と同じ分光特性を有するバンドパスフィルター６１を追加で配置している。バンドパスフィルター６１は不図示の駆動系により光軸外に退避可能でカラー撮影時は光軸外に退避させる。該バンドパスフィルター６１は、本発明において、前記撮影光源と前記光量検知手段の間に設けられた検知手段用バンドパスフィルターとして機能する。また、検知波長変更手段であるＣＰＵ２９により選択された前記帯域に応じて該バンドパスフィルター６１のキセノン管３とフォトダイオード３８、３９、４０との間への挿脱が行われる。
【００４１】
また、実施例１との差分として、実施例１では光量検知部２８に分光感度特性の異なるフォトダイオード（Ｒｅｄ）３８、フォトダイオード（Ｇｒｅｅｎ）３９、フォトダイオード（Ｂｌｕｅ）４０を構成として含まれていた。それに対し実施例２ではフォトダイオード６０のみを構成している。フォトダイオード６０はキセノン管３の波長帯域を包括する４２０〜６４０ｎｍの分光感度特性を有している。
【００４２】
図７は実施例２におけるキセノン管駆動回路２４と光量検知部２８の電気回路の構成図である。実施例１との差分として、実施例１では光量検知部２８に３つのフォトダイオードを構成していたため、同構成の三回路を含む構成であったが、フォトダイオード６０一つとなったため、回路も一回路に減る。
【００４３】
図８のフローチャートを用いて実施例２における撮影シーケンスを説明する。
ステップＳ１１で操作者はカラー撮影かフィルター撮影を選択する。カラー撮影が選択された場合はフィルター撮影用のバンドパスフィルター５８及びバンドパスフィルター６１を光軸から退避させる。アライメント等終了後、操作者は撮影スイッチをＯＮにする（ステップＳ１２）ステップＳ１３に移行する時点で、光量検知部２８のアナログスイッチ５０はＯＮ状態であり、積分コンデンサ４４はリセットされた状態である。
【００４４】
ステップＳ１３では赤外観察モードから静止画撮影モードに移行する。
ステップＳ１４では設定された撮影モードと光量補正値から発光光量を計算する。
【００４５】
ステップＳ１５では設定された光量から、光量テーブルより基準Ｄ／Ａ値が決定され、ＣＰＵ２９はＤ／Ａコンバータ５３に基準Ｄ／Ａ値を渡す。Ｄ／Ａコンバータ５３は、基準電圧をコンパレータ５６に出力する。
【００４６】
ステップＳ１６ではＣＰＵ２９はアナログスイッチ５０をＯＦＦにし積分回路のリセットを解除する。その後、発光を開始する。
【００４７】
ステップＳ１７において、まずカラー撮影、フィルター撮影共に、ＣＰＵ２９はコンパレータ５６の出力がＬｏになるまで待ち、Ｌｏになったらステップ１６に移行する。実施例１と異なり、フィルター撮影時、キセノン管３と絞り２７間にバンドパスフィルター６１が配置するため、フォトダイオード６０には眼底を照明する光と同じ波長の光が入射している。
【００４８】
ステップＳ１８では発光を停止する。
ステップＳ１９では静止画を保存する。
ステップＳ２０で赤外観察モードに移行する。
【００４９】
本実施例では、バンドパスフィルターとその駆動機構が追加になり、複雑な構成にはなるものの、実施例１と同様の効果を得ることができる。
【００５０】
［実施例３］
本発明を図９〜図１０に図示の実施例に基づいて説明する。
詳細な説明は、実施例１、２との差分に留める。
【００５１】
図９は実施例３における眼底カメラの構成図を示している。実施例２と同じく光量検知部２８には４２０〜６４０ｎｍの分光感度特性を有するフォトダイオード６０を構成している。また他の実施例との差分として、バンドパスフィルター５９とダイクロイックミラー５の間にハーフミラー６２が配置されている。また他の実施例では眼底照明光学系Ｏ１から見てキセノン管３の後方にあった光量検知部２８は、ハーフミラー６２が主光束から抽出する光の反射方向に配置されている。ハーフミラー６２からの反射光は、ハーフミラー６２と光量検知部２８の間に配置された絞り２７を通じて、一部がフォトダイオード６０に入射される構成となっている。即ち、該ハーフミラー６２は、撮影光波長選択手段であるバンドパスフィルター５８と眼底との間に配置されて眼底を照明する光の一部を抽出する手段として機能し、光量検知手段であるフォトダイオード６０は抽出された光を用いて発光量を検知する。
【００５２】
本実施例においてキセノン管駆動回路２４と光量検知部２８の電気回路の構成、及び各々のＣＰＵ２９、キセノン管３との入出力関係は実施例２と同じである。
【００５３】
図１０のフローチャートを用いて実施例３における撮影シーケンスを説明する。
ステップＳ２１でまず操作者は操作部カラー撮影かフィルター撮影を選択する。カラー撮影が選択された場合はフィルター撮影用のバンドパスフィルター５９を光軸から退避させる。アライメント等終了後、操作者は撮影スイッチをＯＮにする（ステップＳ２２）
ステップＳ２３では赤外観察モードから静止画撮影モードに移行する。
【００５４】
またステップＳ２４では発光光量を計算する。
ステップＳ２５では基準電圧をコンパレータ５６に設定する。
ステップＳ２６で発光を開始する。
【００５５】
ステップＳ２７において、まずカラー撮影、フィルター撮影共に、ＣＰＵ２９はコンパレータ５６の出力がＬｏになるまで待ち、Ｌｏになったらステップ２８に移行する。他の実施例と異なり、フィルター撮影時、光軸上に配置したバンドパスフィルター５９を通過した後の撮影光がフォトダイオード６０に入射する。
【００５６】
ステップＳ２８では発光を停止する。
ステップＳ２９では静止画を保存する。
ステップＳ３０で赤外観察モードに移行する。
【００５７】
本実施例では、ハーフミラーが追加になり、撮影光の一部を、光量検知用に抽出する必要はあるものの、実施例１と同様の効果を得ることができる
以上述べたように、本発明では、撮影モードに応じてモニターする波長を、実際に眼底を照明する光と同等の波長帯域に切り替える事で、撮影光源の発光波長分布の個体差に起因した撮影光制御誤差を抑えることができる。また、制御に反射光を使用していないため、反射光に含まれるゴーストの影響も受けない。眼底を照明する波長が異なる複数の撮影モードを有し、それぞれの撮影モードにおいて、眼底を照明する光を所望の光量に高い精度で制御可能な装置を提供することができる。
【００５８】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５９】
３  キセノン管
２４  キセノン管駆動回路
２８  光量検知部
２９  ＣＰＵ
３２  ＩＧＢＴ
３８  フォトダイオード（Ｒｅｄ）
３９  フォトダイオード（Ｇｒｅｅｎ）
４０  フォトダイオード（Ｂｌｕｅ）
５９  バンドパスフィルター
【図１】
2014050462.tif 000003
【図２】
2014050462.tif 000004
【図３】
2014050462.tif 000005
【図４】
2014050462.tif 000006
【図５】
2014050462.tif 000007
【図６】
2014050462.tif 000008
【図７】
2014050462.tif 000009
【図８】
2014050462.tif 000010
【図９】
2014050462.tif 000011
【図１０】
2014050462.tif 000012